(57)【特許請求の範囲】
【請求項１】
情報を出力する出力部と、
ユーザの指定操作に応じて第１情報を認識する情報認識部と、
移動体の今回のＯＦＦ期間が開始されたことを条件として、前記移動体の今回のＯＮ期間の開始以降に認識された前記第１情報に関連付けられるべき第２情報の入力を求めるインターフェースを前記ユーザに認識可能な形で前記出力部に出力させる出力制御部とを備えていることを特徴とする情報出力システム。
【請求項２】
請求項１記載の情報出力システムにおいて、
前記情報認識部は、前記第１情報とともに、前記第１情報を認識した地点及び時点の一方又は両方を認識し、
前記出力制御部は、前記第２情報の入力を求めるインターフェースとともに、前記地点及び時点の一方又は両方を示す情報を前記出力部に出力することを特徴とする情報出力システム。
【請求項３】
請求項２記載の情報出力システムにおいて、
前記出力制御部は、前記第２情報の入力を求めるインターフェースとともに、前記第１情報を認識した地点に対応するマップ上の位置に前記第１情報に関連付けられた画像を重畳させて表示する画像を前記出力部に出力することを特徴とする情報出力システム。
【請求項４】
請求項２又は３記載の情報出力システムにおいて、
前記出力制御部は、前記第２情報の入力を求めるインターフェースとともに、前記ОＮ期間の開始時点と、前記ОＦＦ期間の開始時点と、前記第１情報を認識した時点とを示す画像を前記出力部に出力することを特徴とする情報出力システム。
【請求項５】
請求項１〜４のうちいずれか１項記載の情報出力システムにおいて、
前記出力制御部は、前記移動体の今回のＯＮ期間の開始時に、前記移動体の前回のＯＮ期間の開始以降に認識された前記第１情報に対する他者による評価を前記出力部に出力させることを特徴とする情報出力システム。
【請求項６】
請求項５記載の情報出力システムにおいて、
前記情報認識部は、前記第１情報とともに、前記第１情報を認識した地点を認識し、
前記出力制御部は、前記移動体の今回のＯＮ期間の開始したときに、前記地点に対応するマップ上の位置に前記第１情報及び前記他者による評価を重畳して前記出力部に出力することを特徴とする情報出力システム。
【請求項７】
請求項１〜６のうちいずれか１項記載の情報出力システムにおいて、
前記移動体は、運転操作を検出する運転操作検出部と、前記運転操作を行っているときに操作可能な位置に配置され、前記ユーザの操作を検知する移動体入力部とを備え、
前記指定操作は、前記移動体入力部に対する操作であることを特徴とする情報出力システム。
【請求項８】
請求項１〜７のうちいずれか１項記載の情報出力システムにおいて、
前記第１情報は、前記指定操作に応じて録音された音又は撮影された静止画若しくは動画であり、
前記出力制御部は、前記第２情報の入力を求めるインターフェースとともに、自動的に又は前記ユーザの操作に応じて当該第１情報を出力するように構成されていることを特徴とする情報出力システム。
【請求項９】
請求項１〜８のうちいずれか１項記載の情報出力システムにおいて、
前記情報認識部は、前記指定操作とは別個に前記第１情報とは異なる第３情報を認識し、
前記第２情報の入力を求めるインターフェースは、前記第１情報と前記第３情報との関連付けを求めるインターフェースを含むことを特徴とする情報出力システム。
【請求項１０】
請求項１〜９のうちいずれか１項記載の情報出力システムにおいて、
前記情報認識部は、前記指定操作に応じて複数の前記第１情報を認識し、
前記第２情報の入力を求めるインターフェースは、前記複数の前記第１情報のそれぞれの関連付けを求めるインターフェースを含むことを特徴とする情報出力システム。
【請求項１１】
情報を出力する出力部を備えるシステムが実行する方法であって、
ユーザの指定操作に応じて第１情報を認識する情報認識ステップと、
移動体の今回のＯＦＦ期間が開始されたことを条件として、前記移動体の今回のＯＮ期間の開始以降に認識された前記第１情報に関連付けられるべき第２情報の入力を求めるインターフェースを前記ユーザに認識可能な形で前記出力部に出力させる出力制御ステップとを含むことを特徴とする情報出力方法。
【発明の詳細な説明】
【技術分野】
【０００１】
本発明は、情報出力システム及び情報出力方法に関する。
【背景技術】
【０００２】
従来、車両の運転者の意向を収集可能なシステムが提案されている。
【０００３】
例えば、ステアリングホイールに組み付けられたいいねボタンまたはだめだねボタンの押下操作に応じて、ボタンが押下操作された地点及びボタンが押下操作された旨（「いいねボタン」が押下された旨）を情報提供センタに送信する車両が提案されている（特許文献１参照）。
【０００４】
特許文献１の情報提供センタのサーバは、ボタンが押下操作された旨を受信した後に、そのボタンの押下操作理由を確認するための回答フォームを含む質問文をユーザのＳＮＳ（Ｓｏｃｉａｌ  Ｎｅｔｗｏｒｋｉｎｇ  Ｓｅｒｖｉｃｅ）アカウントに送信する。
【先行技術文献】
【特許文献】
【０００５】
【特許文献１】国際公開２０１３／０８０３７５号
【発明の概要】
【発明が解決しようとする課題】
【０００６】
しかしながら、特許文献１の技術では、ユーザが運転中の場合にユーザが使用している端末に質問文または質問文を受領した旨が通知されると、ユーザに煩わしさを覚えさせてしまうおそれがある。一方、ユーザに質問文または質問文を受領した旨が通知されないと、ユーザがＳＮＳに質問文が送信されていることに気が付かないまま時間が経過してしまい、ユーザが押下操作理由を忘れ、ユーザに煩わしさを覚えさせてしまうおそれがある。
【０００７】
このような問題に鑑み、本発明は、ユーザに与えられる煩わしさを軽減または解消しながら運転中に取得された情報の追加情報の入力を求めることが出来る情報出力システム及び情報出力方法を提供することを目的とする。
【課題を解決するための手段】
【０００８】
本発明の情報出力システムは、
情報を出力する出力部と、
ユーザの指定操作に応じて第１情報を認識する情報認識部と、
移動体の今回のＯＦＦ期間が開始されたことを条件として、前記移動体の今回のＯＮ期間の開始以降に認識された前記第１情報に関連付けられるべき第２情報の入力を求めるインターフェースを前記ユーザに認識可能な形で前記出力部に出力させる出力制御部とを備えていることを特徴とする。
【０００９】
当該構成の情報出力システムによれば、ユーザが移動体を運転している蓋然性が高い移動体のＯＮ期間において第１情報に関連付けられるべき第２情報の入力を求めることが回避されるので、ユーザに煩わしさを覚えさせることが回避される。これに加え、ユーザが移動体の運転を終了した蓋然性が高い今回のＯＦＦ期間の開始以降に第２情報の入力を求めるインターフェースが出力されるので、第１情報に関連付けられるべき第２情報を覚えている蓋然性が高い期間に第２情報の入力を求めることが出来る。これにより、ユーザに煩わしさを覚えさせることが回避される。
【００１０】
以上の通り、本発明の情報出力システムによれば、ユーザに与えられる煩わしさを軽減または解消しながら、移動体の運転中である蓋然性が高い期間に認識された第１情報に関連付けられるべき第２情報の入力を求めることが出来る。
【００１１】
本発明の情報出力システムにおいて、
前記情報認識部は、前記第１情報とともに、前記第１情報を認識した地点及び時点の一方又は両方を認識し、
前記出力制御部は、前記第２情報の入力を求めるインターフェースとともに、前記地点及び時点の一方又は両方を示す情報を前記出力部に出力することが好ましい。
【００１２】
当該構成の情報出力システムによれば、前記第２情報の入力を求めるインターフェースとともに、前記地点及び時点の一方又は両方が出力される。これにより、ユーザに指定操作を行った時の状況を比較的容易に思い出させることが出来る。ひいては、質の高い第２情報の入力を促すことが出来る。
【００１３】
当該構成の情報出力システムにおいて、
前記出力制御部は、前記第２情報の入力を求めるインターフェースとともに、前記第１情報を認識した地点に対応するマップ上の位置に前記第１情報に関連付けられた画像を重畳させて表示する画像を前記出力部に出力することが好ましい。
【００１４】
当該構成の情報出力システムによれば、第１情報を認識した地点に対応するマップ上の位置に第１情報に関連付けられた画像が重畳して表示されるので、ユーザに指定操作を行った時の状況をより容易に思い出させることが出来る。ひいては、より質の高い第２情報の入力を促すことが出来る。
【００１５】
これらの情報出力システムにおいて、
前記出力制御部は、前記第２情報の入力を求めるインターフェースとともに、前記ОＮ期間の開始時点と、前記ОＦＦ期間の開始時点と、前記第１情報を認識した時点とを示す画像を前記出力部に出力することが好ましい。
【００１６】
当該構成の情報出力システムによれば、前記ОＮ期間の開始時点と、前記ОＦＦ期間の開始時点と、前記第１情報を認識した時点とを示す画像が出力されるので、ユーザに指定操作を行った時の状況をより容易に思い出させることが出来る。ひいては、より質の高い第２情報の入力を促すことが出来る。
【００１７】
本発明の情報出力システムにおいて、
前記出力制御部は、前記移動体の今回のＯＮ期間の開始時に、前記移動体の前回のＯＮ期間の開始以降に認識された前記第１情報に対する他者による評価を前記出力部に出力させることが好ましい。
【００１８】
当該構成の情報出力システムによれば、前記移動体の前回のＯＮ期間の開始以降にユーザの指定操作に応じて認識された第１情報に対する他者の評価を、移動体の今回のＯＮ期間の開始時にユーザに認識させることが出来る。
【００１９】
他者の評価を得たユーザは指定操作をすることを当分の間意識しやすくなる。この結果、移動体の今回のＯＮ期間中においても、指定操作の実行をユーザに促すことができる。
【００２０】
本発明の情報出力システムにおいて、
前記情報認識部は、前記第１情報とともに、前記第１情報を認識した地点を認識し、
前記出力制御部は、前記移動体の今回のＯＮ期間の開始したときに、前記地点に対応するマップ上の位置に前記第１情報及び前記他者による評価を重畳して前記出力部に出力することが好ましい。
【００２１】
当該構成の情報出力システムによれば、第１情報を認識した地点に対応するマップ上の位置に第１情報及び他者による評価が出力されるので、ユーザに指定操作を行ったときの状況を比較的容易に思い出させることが出来る。
【００２２】
これにより、どのような状況における指定操作が他者からどのように評価されるかをユーザに意識させることが出来る。
【００２３】
本発明の情報出力システムにおいて、
前記移動体は、運転操作を検出する運転操作検出部と、前記運転操作を行っているときに操作可能な位置に配置され、前記ユーザの操作を検知する移動体入力部とを備え、
前記指定操作は、前記移動体入力部に対する操作であることが好ましい。
【００２４】
当該構成の情報出力システムによれば、ユーザが移動体を運転中であっても、ユーザは比較的容易に指定操作を行うことが出来る。これにより、指定操作の実行に当たり、移動体を運転中のユーザに煩わしさを覚えさせることを回避することが出来る。
【００２５】
本発明の情報出力システムにおいて、
前記第１情報は、前記指定操作に応じて録音された音又は撮影された静止画若しくは動画であり、
前記出力制御部は、前記第２情報の入力を求めるインターフェースとともに、自動的に又は前記ユーザの操作に応じて当該第１情報を出力するように構成されていることが好ましい。
【００２６】
当該構成の情報出力システムによれば、指定操作により比較的情報量の多い第１情報が認識される。これにより、第１情報の認識に当たり、指定操作よりも複雑な動作をすることなく情報量の多い情報が認識される。
【００２７】
そして、自動的に又は前記ユーザの操作に応じて当該第１情報が出力されることにより、ユーザに指定操作をしたときの状況を比較的容易に思い出させることが出来る。
【００２８】
これにより、前記第２情報の入力を求めるインターフェースを出力するに当たり、ユーザに指定操作をしたときの状況を比較的容易に思い出させることが出来るので、質の高い追加情報の入力を促すことが出来る。
【００２９】
本発明の情報出力システムにおいて、
前記情報認識部は、前記指定操作とは別個に前記第１情報とは異なる第３情報を認識し、
前記第２情報の入力を求めるインターフェースは、前記第１情報と前記第３情報との関連付けを求めるインターフェースを含むことが好ましい。
【００３０】
新たに情報を入力するよりも、既存の情報の関連付けを行う方が操作が容易となる場合がある。この点に鑑みて構成された当該構成の情報出力システムによれば、前記第２情報の入力を求めるインターフェースが第１情報と第３情報との関連づけを求めるインターフェースを含むので、比較的容易に第２情報を入力させることが出来うる。
【００３１】
本発明の情報出力システムにおいて、
前記情報認識部は、前記指定操作に応じて複数の前記第１情報を認識し、
前記第２情報の入力を求めるインターフェースは、前記複数の前記第１情報のそれぞれの関連付けを求めるインターフェースを含むことが好ましい。
【００３２】
当該構成の情報出力システムによれば、前記第２情報の入力を求めるインターフェースが第１情報のそれぞれの関連づけを求めるインターフェースを含むので、比較的容易に第２情報を入力させることが出来うる。
【００３３】
本発明の情報出力方法は、
情報を出力する出力部を備えるシステムが実行する方法であって、
ユーザの指定操作に応じて第１情報を認識する情報認識ステップと、
移動体の今回のＯＦＦ期間が開始されたことを条件として、前記移動体の今回のＯＮ期間の開始以降に認識された前記第１情報に関連付けられるべき第２情報の入力を求めるインターフェースを前記ユーザに認識可能な形で前記出力部に出力させる出力制御ステップとを含むことを特徴とする。
【図面の簡単な説明】
【００３４】
【図１】情報出力システムの全体構成図。
【図２】ＳＮＳ表示処理のフローチャート。
【図３】ホーム画面の構成を示す図。
【図４】マイページ画面の構成を示す図。
【図５】評価確認画面の構成を示す図。
【図６】マップ画面の構成を示す図。
【図７】録音画面の構成を示す図。
【図８】投稿確認画面の構成を示す図。
【図９】運転中処理のフローチャート。
【図１０】移動体の運転前後とクライアントの処理及びクライアントに対する操作の流れを示す図。
【発明を実施するための形態】
【００３５】
（サーバクライアントシステムの構成）
図１に示されている本発明の一実施形態としての情報出力システムは、サーバ１と、移動局としての複数のクライアント２とにより構成されている。サーバ１および複数のクライアント２のそれぞれは、一または複数のネットワークを介して相互に通信可能である。クライアント２は、ユーザにより携帯される情報端末により構成されている。クライアント２は、四輪自動車、二輪自動車および自転車などの車両など、ユーザの運転操作にしたがって移動する機能を有する装置である移動体に一時的または恒久的に搭載されてもよい。
【００３６】
（サーバの構成）
サーバ１は、ＳＮＳ（Ｓｏｃｉａｌ  Ｎｅｔｗｏｒｋｉｎｇ  Ｓｅｒｖｉｃｅ）を提供するサーバであり、固定局としてのコンピュータにより構成されている。サーバ１は、サーバ演算処理部１１と、サーバ記憶部１２と、サーバ通信部１３とを備えている。なお、サーバ１が、移動局としてのスマートフォンまたはタブレットなどの携帯型の端末装置により構成されていてもよい。
【００３７】
サーバ演算処理部１１は、サーバ記憶部１２を構成するメモリの指定領域からソフトウェアおよびデータを必要に応じて読み取った上で、当該データを対象として当該ソフトウェアにしたがった指定の演算処理を実行する演算処理装置（ＣＰＵ）および必要に応じて通信機器、記憶装置（メモリ）等により構成されている。
【００３８】
サーバ記憶部１２は、道路交通情報およびサーバマップ情報を記憶保持している。「道路交通情報」には、各リンクにおける移動コストが含まれている。「サーバマップ情報」には、道路を構成する各リンクの位置、形状および姿勢等が座標値（（緯度、経度）または（緯度、経度、高度））の列のほか、各リンクを識別するためのリンク識別情報および属性を表すデータなどが含まれている。各リンクはノードにより接続されている。
【００３９】
サーバ記憶部１２は、各メンバのクライアント２から受信した第１情報と、第１情報の投稿日時と、第１情報のタイトルと、第１情報の投稿先と、第１情報に関連付けられた地点情報と、第１情報の他者による評価（例えば「いいね」の数）とを記憶するように構成されている。
【００４０】
サーバ通信部１３は、ネットワークとしての公衆通信網に接続され、クライアント２等の外部の端末と通信する通信装置により構成されている。
【００４１】
（クライアントの構成）
クライアント２は、移動局としてのスマートフォンまたはタブレットなどの携帯型の端末装置により構成されている。「携帯型」とは、例えばそのサイズが人間の標準的な手の平程度であり、その重量が片手でまたは衣服のポケットなどに入れて簡単に持ち運びができる程度であることを意味する。クライアント２が、携帯型の機器よりも大型のかつ重量がある機器（たとえば移動体に組み付けられている機器）によって構成されていてもよい。
【００４２】
なお、以下において、説明対象のクライアント２の使用者を「ユーザ」と呼び、ユーザを含むＳＮＳの利用者を「メンバ」と呼ぶ。
【００４３】
クライアント２は、クライアント演算処理部２１と、クライアント記憶部２２と、クライアント通信部２３と、クライアント入力部２４と、クライアント出力部２５とを備えている。
【００４４】
クライアント演算処理部２１は、ＣＰＵ（ｃｅｎｔｒａｌ  ｐｒｏｃｅｓｓｉｎｇ  ｕｎｉｔ）等のプロセッサにより構成され、メモリ等から所定のプログラム（ＳＮＳアプリ）を読み込んで実行することにより、後述する演算処理を実行する出力制御部２１１及び情報認識部２１２として機能する。
【００４５】
クライアント演算処理部２１は、クライアント２の現在位置を時系列的に測定または検知するように構成されている。クライアント２の現在位置は、ＧＰＳ受信機により人工衛星から受信された信号のほか、必要に応じてジャイロセンサの出力信号に基づいて計測される。クライアント演算処理部２１は、また、クライアント２の位置の時系列的な変化態様を表わす「プローブ情報」をサーバ１に対して送信するように構成されている。
【００４６】
クライアント演算処理部２１は、「ルート探索要求」をサーバ１に対して送信し、これに応じた「サーバルート情報」をサーバ１から受信するように構成されている。クライアント演算処理部２１は、サーバルート情報に基づき、クライアントマップ情報を用いてクライアントルートを探索かつクライアント出力部２５に出力するように構成されている。
【００４７】
クライアント記憶部２２は、クライアント演算処理部２１による受信情報および計算結果などの演算処理結果を記憶保持するように構成されている。クライアント記憶部２２は、クライアントマップ情報およびコンテンツ等を格納するように構成されている。「クライアントマップ情報」には、道路を構成する各リンクの位置、形状および姿勢等を表わす座標列と、各リンクを識別するためのリンク識別情報とが含まれている。
【００４８】
クライアントマップ情報には、当該座標列が含まれず、マップをクライアント出力部２５に表示させるための画像情報と、当該マップに含まれている道路を構成する各リンクのリンク識別情報とが含まれていてもよい。この場合、サーバ１により、サーバマップ情報に含まれる座標値のうち、プローブ情報または要求情報に含まれる座標値に一致する座標値が特定されることによって、当該特定座標値に対応するリンク識別情報または道路種類などが特定されてもよい。
【００４９】
クライアントマップ情報とサーバマップ情報とのスペックやデータ構造が異なるため、各マップ情報における座標列の定義等が異なっていても、同一のリンクに共通のリンク識別情報が付されることにより、リンクのマッチングが可能とされている。サーバ１によりリンク識別情報が含まれているサーバルート情報が送信され、クライアント２により当該ルート情報に含まれるリンク識別情報により識別される複数のリンクを包含するナビルートの画像がクライアント出力部２５を通じて表示される。
【００５０】
クライアント記憶部２２は、サーバ１から定期的にダウンロードされた各メンバにより投稿された第１情報等を記憶していてもよい。
【００５１】
クライアント通信部２３は、広域ネットワークとしての公衆通信網に接続され、サーバ１等の外部の端末と通信する通信装置及び車内ネットワークに接続され、移動体３と通信する通信装置により構成されている。
【００５２】
クライアント入力部２４は、操作ボタンやマイクロフォンにより構成され、ユーザの操作または発話による種々の操作または入力設定を可能とする。クライアント出力部２５は、ディスプレイ装置および音響出力装置（スピーカ）により構成され、クライアントマップ情報等の画像コンテンツを表示または音響コンテンツを出力する。クライアント入力部２４およびクライアント出力部２５は、タッチパネル式ディスプレイにより構成されていてもよい。
【００５３】
本発明の構成要素が情報を「出力する」とは、当該情報の表示、音声出力、振動出力等、人間がその視覚、聴覚、触覚等、五感を通じて認識しうるあらゆる形態で情報を出力することを意味する。本発明の構成要素が担当の演算処理を実行するように「構成されている」とは、当該構成要素が必要なプログラムおよびデータをメモリから読み取り等した上で、当該データに基づき、当該プログラムにしたがって担当演算処理を実行する機能を有すること、ひいてはプログラムされていることを意味する。
【００５４】
（移動体の構成）
移動体３は、クライアント２のユーザがクライアント２を携帯して搭乗可能に構成された車両等の移動体である。移動体３は、センサ部３１と、移動体入力部３２と、移動体通信部３３とを備える。
【００５５】
センサ部３１は、移動体３のイグニッションスイッチのＯＮまたはＯＦＦを示す信号を出力するイグニッションスイッチセンサ３１１を備える。センサ部３１は、これに加えてまたは代えて、ＧＰＳ（Ｇｌｏｂａｌ  Ｐｏｓｉｔｉｏｎｉｎｇ  Ｓｙｓｔｅｍ）等の位置センサ、速度センサ及びジャイロセンサなどを備えてもよい。
【００５６】
移動体入力部３２は、移動体３のステアリングホイールに設けられた遷移スイッチ３２１と録音スイッチ３２２とを備える。これに代えて、例えばステアリングホイールを握ったまま指が届く範囲に移動体入力部３２が設けられてもよい。
【００５７】
移動体通信部３３は、車内ネットワークに接続され、クライアント２と通信する通信装置により構成されている。移動体通信部３３は、センサ部３１及び移動体入力部３２からの出力信号をクライアント２に送信するように構成されている。
【００５８】
（ＳＮＳ表示処理）
次に図２〜図８を参照して、クライアント２が実行するＳＮＳ表示処理を説明する。
【００５９】
クライアント２にインストールされたＳＮＳアプリが実行されると、出力制御部２１１は、図３に示されるホーム画面Ｐ１をクライアント出力部２５に出力する（図２／ＳＴＥＰ０２）。
【００６０】
ホーム画面Ｐ１には、プレイリスト表示Ｐ１１と、登録チャンネル表示Ｐ１２と、お知らせ表示Ｐ１３とが含まれている。ホーム画面Ｐ１の下方には、ホームボタンＣ１、マイページボタンＣ２、マップボタンＣ３、録音スイッチＣ４とが含まれている。
【００６１】
プレイリスト表示Ｐ１１は、グルメ又はイベント等の一般的な各テーマのコンテンツのリスト表示である。
【００６２】
登録チャンネル表示Ｐ１２は、クライアント２のユーザが登録したコンテンツのリスト表示である。
【００６３】
お知らせ表示Ｐ１３は、「あなたの投稿に○○がいいねしました」などのユーザの投稿に対する他のメンバの最近のアクションの通知又は「イベント××が開催されています」などの最近のイベント等の最近の出来事の通知を含む表示である。
【００６４】
ホームボタンＣ１は、ホーム画面Ｐ１（図３）に遷移するためのボタンである。ホーム画面Ｐ１においてホームボタンＣ１が押圧操作された場合には、更新されたホーム画面Ｐ１が表示される。
【００６５】
マイページボタンＣ２は、マイページ画面Ｐ２（図４）に遷移するためのボタンである。
【００６６】
マップボタンＣ３は、マップ画面Ｐ３（図６）に遷移するためのボタンである。
【００６７】
録音スイッチＣ４は、録音画面Ｐ４（図７）に遷移するためのボタンである。
【００６８】
マイページ画面Ｐ２は、プロフィール表示Ｐ２１と、評価一覧表示Ｐ２２と、登録チャンネル表示Ｐ２４とを含む。マイページ画面Ｐ２の下方には、ホーム画面Ｐ１と同様に、ホームボタンＣ１、マイページボタンＣ２、マップボタンＣ３、録音スイッチＣ４とが含まれている。
【００６９】
プロフィール表示Ｐ２１は、クライアント２のユーザのアイコンまたは挨拶メッセージなどのユーザのプロフィールを含む表示である。
【００７０】
評価一覧表示Ｐ２２は、マップ上に、クライアント２のユーザが過去に投稿した投稿情報と、その投稿情報に対する他のメンバの評価とを重畳して含む表示である。評価一覧表示Ｐ２２は、評価確認画面リンクＰ２３を含む。評価確認画面リンクＰ２３は、評価確認画面Ｐ２５（図５）に遷移するためのリンクである。
【００７１】
登録チャンネル表示Ｐ２４は、ホーム画面に表示する登録チャンネルの編集用の表示である。
【００７２】
評価確認画面Ｐ２５は、図５に示されるように、第１情報表示Ｐ２５１と、第１情報評価表示Ｐ２５４と、コメント表示Ｐ２５５、Ｐ２５６とを含む。評価確認画面Ｐ２５の下方には、ホーム画面Ｐ１と同様に、ホームボタンＣ１、マイページボタンＣ２、マップボタンＣ３、録音スイッチＣ４とが含まれている。
【００７３】
第１情報表示Ｐ２５１は、ユーザが投稿した第１情報の表示であり、タイトル表示Ｐ２５２と、投稿画像表示Ｐ２５３とを含む。これに代えてまたは加えて、第１情報表示Ｐ２５１は、テキスト表示、音声再生ボタン及び動画再生ボタンなどを含んでいてもよい。
【００７４】
第１情報評価表示Ｐ２５４は、他のメンバによる第１情報に対する評価であり、投稿日時、閲覧数及び肯定的評価（いいねという評価）をした人数を含む。評価は、肯定的評価だけに限られず、「すごい」「驚いた」等の種々の評価基準による評価であってもよいし、複数段階（例えば５段階）の評価であってもよい。
【００７５】
コメント表示Ｐ２５５、Ｐ２５６は、他のメンバによる第１情報に対するコメントの表示である。
【００７６】
マップ画面Ｐ３は、図６に示されるように、マップ上に、ユーザの位置表示Ｐ３１と、第１情報Ｐ３２、Ｐ３３とを含む。マップ画面Ｐ３の下方には、ホーム画面Ｐ１と同様に、ホームボタンＣ１、マイページボタンＣ２、マップボタンＣ３、録音スイッチＣ４とが含まれている。
【００７７】
ユーザの位置表示Ｐ３１は、例えばＧＰＳ受信機により受信されたクライアント２の現在位置と対応するマップ上の位置に重畳して表示されるアイコンである。
【００７８】
第１情報Ｐ３２、Ｐ３３は、マップ上に重畳されたユーザまたは他のメンバにより投稿された第１情報である。
【００７９】
各第１情報Ｐ３２，Ｐ３３は、タイトル表示Ｐ３４及び画像表示Ｐ３５などを含む。
【００８０】
録音画面Ｐ４は、図７に示されるように、録音中であることを示す録音中表示Ｐ４１及び録音された音声に第１情報に関連付けられるべき情報（第２情報）を追加するための投稿確認画面Ｐ４３（図８参照）へのリンクＰ４２を含む。録音画面Ｐ４の下方には、ホーム画面Ｐ１と同様に、ホームボタンＣ１、マイページボタンＣ２、マップボタンＣ３、録音スイッチＣ４とが含まれている。
【００８１】
投稿確認画面Ｐ４３は、図８に示されるように、作成日時表示Ｐ４３１と、投稿位置表示Ｐ４３３と、タイトル編集欄Ｐ４３４と、投稿先グループ選択欄Ｐ４３５と、投稿ボタンＰ４３６とを含む。投稿確認画面Ｐ４３の下方には、ホーム画面Ｐ１と同様に、ホームボタンＣ１、マイページボタンＣ２、マップボタンＣ３、録音スイッチＣ４とが含まれている。
【００８２】
投稿確認画面Ｐ４３が本発明の「インターフェース」に相当する。本発明の「インターフェース」の他の例としては、第２情報のマイクへの入力を求める音声の出力であってもよいし、ランプの所定の形式の点灯又は点滅であってもよい。
【００８３】
第２情報のマイクへの入力を求める場合、所定の形式、例えば、「タイトルはなんですか？」という音声が再生された後にマイクに入力された音声に含まれる用語をタイトルとして認識してもよい。また、マイクへ入力された音声を解析することにより、「タイトル」という用語に続く用語、又は「タイトル」という用語の前の用語をタイトルとして認識してもよい。
【００８４】
作成日時表示Ｐ４３１は、第１情報の作成日時、例えば、音声の録音日時の表示である。作成日時表示Ｐ４３１は、録音された音声等を再生するための再生リンクＰ４３２を含む。
【００８５】
投稿位置表示Ｐ４３３は、マップ上に重畳された、音声の録音したときの移動体３（又はクライアント２）の位置の表示である。投稿位置表示Ｐ４３３は、第１情報に関連付けられた情報、例えば、音声のタイトル、又は撮像された画像などの表示を含んでもよい。
【００８６】
タイトル編集欄Ｐ４３４は、第１情報に関連付けられるべき第２情報としてのタイトルの編集をするための表示である。
【００８７】
投稿先グループ選択欄Ｐ４３５は、第１情報に関連付けられるべき第２情報としての、第１情報の共有先を選択するための表示である。
【００８８】
投稿確認画面P43は、ОＮ期間の開始時点と、ОＦＦ期間の開始時点と、第１情報を認識した時点とを示す画像、例えば、ОＮ期間の開始時点とОＦＦ期間の開始時点とを両端とする線分上に、第１情報を認識した時点を示す画像を含んでもよい。
【００８９】
出力制御部２１１は、クライアント通信部２３を介して移動体３に搭載された機器と接続する（図２／ＳＴＥＰ０４）。
【００９０】
出力制御部２１１は、移動体３の今回のＯＮ期間が開始したというＯＮ開始条件が充足しているか否かを判定する（図２／ＳＴＥＰ０６）。図２／ＳＴＥＰ０４及び図２／ＳＴＥＰ０６の処理は、ＳＮＳアプリがユーザにより起動されていない状態で実行されてもよい。
【００９１】
ＯＮ開始条件は、移動体３の今回のＯＮ期間が開始したという条件であり、例えば、移動体３のイグニッションスイッチセンサ３１１から移動体３のイグニッションがＯＮであるという信号を受信したという条件である。
【００９２】
これに加えてまたは代えて、ＯＮ開始条件は、例えば、移動体３に搭載された機器との接続が確立したという条件を含んでもよい。これに加えてまたは代えて、ＯＮ開始条件は、移動体３の位置センサから受信した信号に示される位置が変化したという条件を含んでもよい。ＯＮ開始条件は、クライアント２の位置又は移動体３の位置センサから受信した信号に示される位置が道路上であるという条件を含んでもよい。ある位置が道路上か否かは、例えばマップマッチングにより判定されうる。これに加えてまたは代えて、ＯＮ開始条件は、移動体３の速度センサから受信した信号に示される移動体３の速度が所定の速度以上であるという条件を含んでもよい。これに加えてまたは代えて、ＯＮ開始条件は、移動体３のジャイロセンサから受信した信号に示される移動体３の速度が所定の速度以上であるという条件を含んでもよい。これに加えてまたは代えて、ＯＮ開始条件は、クライアント入力部２４に所定の音声（例えばエンジン音又は「運転開始」との声）が入力されたことを検知したという条件を含んでもよい。
【００９３】
当該判定結果が否定的である場合（図２／ＳＴＥＰ０６‥ＮＯ）、出力制御部２１１は、クライアント入力部２４を介してユーザの操作を認識する（図２／ＳＴＥＰ０８）。
【００９４】
出力制御部２１１は、図２／ＳＴＥＰ０８で認識したユーザの操作に応じた画面を表示する（図２／ＳＴＥＰ１０）。
【００９５】
例えば、ユーザの操作が、ホーム画面Ｐ１におけるプレイリスト表示Ｐ１１に含まれるグルメコンテンツに対するタッチ操作である場合、出力制御部２１１は、グルメに関するコンテンツ（グルメの説明画像、音声又は動画等）をクライアント出力部２５に出力する。
【００９６】
また、ユーザの操作が、各ボタンＣ１〜Ｃ４のいずれかの押圧操作である場合、出力制御部２１１は、当該ボタンに対応する画面をクライアント出力部２５に出力する。
【００９７】
図２／ＳＴＥＰ１０の処理の後、出力制御部２１１は、図２／ＳＴＥＰ０４以下の処理を実行する。
【００９８】
図２／ＳＴＥＰ０６の判定結果が肯定的である場合（図２／ＳＴＥＰ０６‥ＹＥＳ）、クライアント演算処理部２１は、後述する運転中処理を実行する（図２／ＳＴＥＰ１２）。
【００９９】
（運転中処理）
図９を参照して、運転中処理を説明する。運転中処理は、ＯＮ開始条件が成立した後（図２／ＳＴＥＰ０６‥ＹＥＳ）に実行される処理である。
【０１００】
出力制御部２１１は、前回のＯＮ期間で投稿された第１情報に関する評価確認画面Ｐ２５（図５）をクライアント出力部２５に出力する（図９／ＳＴＥＰ２２）。これに加えてまたは代えて、出力制御部２１１は、前回のＯＮ期間で投稿された第１情報に対する他のメンバによる評価を音声でクライアント出力部２５に出力してもよい。
【０１０１】
情報認識部２１２は、移動体３のいずれかのスイッチの押圧操作を検知したか否かを判定する（図９／ＳＴＥＰ２４）。
【０１０２】
当該判定結果が否定的である場合（図９／ＳＴＥＰ２４‥ＮＯ）、出力制御部２１１は、図９／ＳＴＥＰ３２に進む。
【０１０３】
当該判定結果が肯定的である場合（図９／ＳＴＥＰ２４‥ＹＥＳ）、情報認識部２１２は、検知された押圧操作が、録音スイッチ３２２の押圧操作であるか否かを判定する（図９／ＳＴＥＰ２６）。録音スイッチ３２２の押圧操作が本発明の「指定操作」に相当する。なお、録音スイッチ３２２の押圧操作に加えてまたは代えて、例えば「録音開始」等の所定の言葉の発声が「指定操作」であってもよい。また、録音スイッチ３２２の押圧操作に加えてまたは代えて、例えば、ステアリングホイールに設けられた撮像スイッチの押圧操作が検知されてもよい。
【０１０４】
当該判定結果が肯定的である場合（図９／ＳＴＥＰ２６‥ＹＥＳ）、情報認識部２１２は、録音画面Ｐ４をクライアント出力部２５に出力するとともに、クライアント入力部２４を介して音声の録音を開始する（図９／ＳＴＥＰ２８）。これに加えてまたは代えて、情報認識部２１２は、クライアント２に設けられたカメラを用いて移動体内部又は外部の静止画又は動画の撮像を実行してもよい。情報認識部２１２は、通信を介して、移動体３に設けられたマイク又はカメラを用いて、移動体内部又は外部において、録音、静止画又は動画の撮像を実行させてもよい。また、情報認識部２１２は、図９／ＳＴＥＰ２８の実行時点におけるクライアント２の位置を認識する。
【０１０５】
図９／ＳＴＥＰ２８で認識される情報が、本発明の「第１情報」に相当する。
【０１０６】
録音スイッチ３２２の再度の押圧操作など、ユーザによる録音の終了操作が検知された後、情報認識部２１２は、録音を終了し、図９／ＳＴＥＰ３２に進む。
【０１０７】
当該判定結果が肯定的である場合（図９／ＳＴＥＰ２６‥ＮＯ）、出力制御部２１１は、現在表示している画面の次の画面をクライアント出力部２５に出力する（図９／ＳＴＥＰ３０）。本実施形態では、出力制御部２１１は、ホーム画面Ｐ１→マイページ画面Ｐ２→マップ画面Ｐ３→ホーム画面Ｐ１→・・という順番で画面遷移を実行する。
【０１０８】
図９／ＳＴＥＰ２８又は図９／ＳＴＥＰ３０の後、出力制御部２１１は、ＯＦＦ開始条件を充足するか否かを判定する（図９／ＳＴＥＰ３２）。
【０１０９】
ＯＦＦ開始条件は、移動体３の今回のＯＦＦ期間が開始されたという条件であり、例えば、移動体３のイグニッションスイッチがＯＦＦであるという条件である。
【０１１０】
これに代えてまたは加えて、ＯＦＦ開始条件は、移動体３の位置が一定時間以上同一であるという条件を含んでもよい。これに代えてまたは加えて、ＯＦＦ開始条件は、移動体３の位置が目的地から所定距離以内であるという条件を含んでもよい。これに加えてまたは代えて、ＯＦＦ開始条件は、クライアント入力部２４に所定の音声（例えばエンジン停止時の音又は「運転終了」との声）が入力されたことを検知したという条件を含んでもよい。
【０１１１】
図９／ＳＴＥＰ３２の判定結果が否定的である場合（図９／ＳＴＥＰ３２‥ＮＯ）、クライアント演算処理部２１は、図９／ＳＴＥＰ２４以下の処理を実行する。
【０１１２】
図９／ＳＴＥＰ３２の判定結果が肯定的である場合（図９／ＳＴＥＰ３２‥ＹＥＳ）、クライアント演算処理部２１は、図９／ＳＴＥＰ２８で認識された情報ごとに、投稿確認画面Ｐ４３（図８参照）をクライアント出力部２５に出力する（図９／ＳＴＥＰ３４）。この時、クライアント演算処理部２１は、再生リンクＰ４３２の押圧操作を検知した場合に対象の情報を自動で再生してもよいし、再生リンクＰ４３２の押圧操作を待たずに、投稿確認画面Ｐ４３を表示したとき又は所定時間が過ぎたときなどに対象の情報を自動で再生してもよい。
【０１１３】
クライアント演算処理部２１は、図９／ＳＴＥＰ３４の後、運転中処理を終了する。
【０１１４】
（運転中処理の作用効果）
図１０を参照して、運転中処理の作用効果を説明する。
【０１１５】
一般に、移動体３のドライバー（ユーザ）は、移動体３の運転に当たり、図１０に示されるように、徒歩で移動体に向かい（Ａ１）、移動体に乗車し（Ａ２）、運転をし（Ａ４）、運転終了後に降車し（Ａ６）、移動体から離れる（Ａ７）という一連の行動をとると考えられる。
【０１１６】
ユーザが、例えば、携帯しているクライアント２にインストールされているＳＮＳアプリを移動体３への乗車前に起動したとする（Ｂ１）。
【０１１７】
ＯＮ開始条件が充足したと判定されると（Ａ３、図２／ＳＴＥＰ０６‥ＹＥＳ）、クライアント演算処理部２１により運転中処理が開始され（図２／ＳＴＥＰ１２）、評価確認画面がクライアント出力部２５に出力される（図９／ＳＴＥＰ２２）。これにより、ユーザに、自己の投稿の他のメンバからの評価を確認させることが出来る（Ｂ２）。
【０１１８】
この結果、ユーザに、追加の投稿を促せるようになり、ユーザの自発的な投稿行動、例えば、録音スイッチ３２２の押圧操作を促すことができる（Ｂ３）。
【０１１９】
情報認識部２１２により録音スイッチ３２２の押圧操作が検知されると（図９／ＳＴＥＰ２４・・ＹＥＳかつ図９／ＳＴＥＰ２６・・ＹＥＳ）、録音処理が実行される（図９／ＳＴＥＰ２８）。
【０１２０】
これにより、ユーザは、比較的単純な操作により第１情報としての録音を運転中に行うことが出来る（Ｂ４）。
【０１２１】
また、出力制御部２１１によりＯＦＦ開始条件が充足したと判定されると（Ａ５、図９／ＳＴＥＰ３２‥ＹＥＳ）、投稿確認画面Ｐ４３がクライアント出力部２５に出力される（図９／ＳＴＥＰ３４）。
【０１２２】
これにより、ユーザに第１情報（録音された音声）への第２情報（タイトル及び投稿先グループなどの情報）の入力を促すことが出来る（Ｂ５）。
【０１２３】
このようにして、ユーザに煩わしさを覚えさせることを回避しながら、ユーザに第１情報及び第２情報の投稿を適切に促すことが出来る。
【０１２４】
（変形態様）
移動体３は、マイク又はカメラを用いて、指定操作とは別個に録音又は撮像を定期的に行ってもよい。これにより録音された音声又は撮像された画像が、本発明の「第３情報」に相当する。
【０１２５】
サーバ演算処理部１１又は移動体３が通信を介して出力制御部２１１及び情報認識部２１２の一部または全部の機能を実行するように構成されていてもよい。
【０１２６】
移動体３が移動体出力部を備え、出力制御部が通信を介して当該移動体出力部に種々の情報を出力してもよい。
【符号の説明】
【０１２７】
３・・移動体、２５・・出力部、２１１‥出力制御部、２１２・・情報認識部。
【図１】
0006559096.tif 000002
【図２】
0006559096.tif 000003
【図３】
0006559096.tif 000004
【図４】
0006559096.tif 000005
【図５】
0006559096.tif 000006
【図６】
0006559096.tif 000007
【図７】
0006559096.tif 000008
【図８】
0006559096.tif 000009
【図９】
0006559096.tif 000010
【図１０】
0006559096.tif 000011